(57)【特許請求の範囲】
【請求項１】
フレキシブルな受信用のコイル機構を有する磁気共鳴撮像用のコイル機構において、
第１のフレキシブルプラスチック材料シート（４０）と、
前記第１のフレキシブルプラスチック材料シート（４０）に沿って延びるように前記シート（４０）に設置され、無線周波数磁気共鳴信号を受信する電気的に繋がるフレキシブルフォイル帯（３６）と、
前記第１のフレキシブルプラスチック材料シートに設置された軟らかい材料でできた第１の層（４４）と
を備え、
前記コイル機構は前記受信された無線周波数磁気共鳴信号を遠隔位置に運ぶように、ケーブル（２２）により前記遠隔位置に接続可能であり、且つ
前記第１の層（４４）が、少なくとも１つの第１の部位と、少なくとも１つの第２の部位を有し、
前記第１の部位は、前記第１の部位と隣接した部位に在る前記電気的に繋がるフレキシブルフォイル帯を、フレキシブルに傾けるようにするためのものであり、
前記第２の部位は、前記第２の部位に覆われた前記電気的に繋がるフレキシブルフォイル帯を、折り曲げないようにするためのものであることを特徴とする磁気共鳴撮像用のコイル機構。
【請求項２】
さらに、前記第１のフレキシブルプラスチック材料シートに設置された電気素子（２４）を有し、前記素子（２４）は前記フレキシブルフォイル帯に接続される請求項１記載のコイル機構。
【請求項３】
さらに、第２の軟材料層（４６）と、
前記第１のフレキシブルプラスチック材料シート（４０）の第１の面に設置された第１の素子ハウジング（４２）とを有し、
前記第１の層は前記第１のフレキシブルプラスチック材料シート（４０）の第１の面に設置され、さらに、
前記第２の軟材料層（４６）に設置された第２の素子ハウジング（４８）を有し、
前記第２の軟材料層は前記第１のフレキシブルプラスチック材料シート（４０）の第２の面に設置される請求項２記載のコイル機構。
【請求項４】
前記第１の層（４４）が柔軟性のある材料で構成されており、
前記第１の部位が平面であって、
前記第２の部位が、前記電気的に繋がるフレキシブルフォイル帯を保護するために、前記柔軟性のある第１の層と、前記電気的に繋がるフレキシブルフォイル帯を保持した前記第１のフレキシブルプラスチック材料シートとの間をポケット状にするトレッスル構造である請求項２記載のコイル機構。
【請求項５】
さらに、フレキシブルな機械構造（５０）と、
前記第１のフレキシブルシート上の第１の巻線パターン（Ｆ）と、
第２のフレキシブルシート上の第２の巻線パターン（Ｇ）と、
前記第１のフレキシブルシートを前記フレキシブル機械構造の第１のエッジに隣接させて設置し、前記第１の巻線パターンが前記フレキシブル機械構造の中心部分のカンチレバーとなるようにする第１の機械コネクタ（５２）と、
前記第２のフレキシブルシートを前記フレキシブル機械構造の第２のエッジに隣接させて設置し、前記第２の巻線パターンが前記フレキシブル機械構造（５０）の中心部分のカンチレバーとなるようにし、結果として前記第１の巻線パターンと前記第２の巻線パターンが部分的にオーバーラップするようにした第２の機械コネクタ（５４）とを有する請求項１記載のコイル機構。
【請求項６】
さらに、前記第１のフレキシブルシート上の第１の巻線パターン（Ｆ）と、
第２のフレキシブルシート上の第２の巻線パターン（Ｇ）と、
前記第１のフレキシブルシートを前記第２のフレキシブルシートにピボット的に接続する少なくとも３つのピボットロッド部材（５６）とを有し、
前記ピボットロッド部材はそれぞれ一定の長さをもち、前記第１および第２のフレキシブルシート間にピボット的に接続され、フレックス力が前記ロッド部材に適用されるとピボットが前記第１および第２のフレキシブルシート間の間隔を変化させるように配置される請求項１記載のコイル機構。
【請求項７】
さらに、第２のフレキシブルプラスチックシートに設置された第２の電気的に繋がるフレキシブルフォイル帯と、
前記第１および第２の電気的に繋がるフレキシブルフォイル帯を接続する少なくとも１つの電気コネクタ（５７，６２）とを有する請求項１記載のコイル機構 。
【請求項８】
第１の配列確認標（６６，６８，７０）と、
第２の配列確認標（６６，６８，７２）を持つモジュール式の第２のフレキシブル受信コイル機構（Ｉ）と
を有し、
前記第１および第２の配列確認標は隣接関係において選択的に配置可能で、さらに、
前記フレキシブルな受信用の第１のコイル機構と前記第２のフレキシブル受信コイル機構とを前記第１および第２の配列確認標を用いて接続する機械接続部（７０，７２）を、さらに有する請求項１記載のコイル機構。
【請求項９】
さらに、前記フレキシブルなコイル機構のフレックス度を示す少なくとも１つのゲージ（７４）を有する請求項１記載のコイル機構。
【請求項１０】
一時的に一定な主磁界を画像域内に生成する主磁界手段（Ａ）と、
前記画像域内の前記主磁界に亙って磁界傾斜を生成する傾斜磁界コイル（Ｂ）と、
前記画像域内の核に磁気共鳴を励起し操作する無線周波数送信機（１０）と、
前記画像域から磁気共鳴信号を受信する受信コイル機構（Ｄ）と、
前記受信された磁気共鳴信号から画像表示を再構成する画像再構成プロセッサ（Ｅ）と、
前記受信コイル機構からの前記受信された磁気共鳴信号を前記再構成プロセッサに供給するよう、前記受信コイル機構から前記画像再構成プロセッサに延びるケーブル（２２）と、
を有し、
前記受信コイル機構は、
フレキシブルプラスチック材料シート（４０）と、
前記シートに設置された電気素子（２４）と、
前記シートの少なくとも１つの面に沿って延びるように前記面に設置されて無線周波数磁気共鳴信号を受信する電気的に繋がるフレキシブルフォイル帯（３６）と、
を備え、
前記電気的に繋がるフレキシブルフォイル帯は前記電気素子に接続され、
さらに、前記電気的に繋がるフレキシブルフォイル帯を保持した柔軟性のある層（４４）であって、
前記柔軟性のある層（４４）が、少なくとも１つの第１の部位と、少なくとも１つの第２の部位を有し、
前記第１の部位は、前記第１の部位と隣接した部位に在る前記電気的に繋がるフレキシブルフォイル帯をフレキシブルに傾けるようにするためのものであり、
前記第２の部位は、前記第２の部位に覆われた前記電気的に繋がるフレキシブルフォイル帯を折り曲げないようにするためのものであることを特徴とする磁気共鳴撮像装置。
【発明の詳細な説明】
【０００１】
【発明の属する技術分野】
本発明は核磁気共鳴撮像装置に関し、特に、この装置に用いられるフレキシブルコイル機構に関する。本発明は、核磁気共鳴医療撮像装置（ＭＲＩ）で使用される無線周波（ＲＦ）コイルに特に適用される。さらに本発明は、ウェルロギングや化学分析等の他の磁気共鳴応用にも適用される。
【０００２】
【従来の技術】
これまで、全身および局所受信コイルは患者の選択された身体部分の磁気共鳴撮像および分光に使用されてきた。まず、標準サイズの全身コイルまたは身体部分受信コイルは撮像される患者の身体部分の周囲に配置されるように寸法づけられる。標準サイズにより、コイルと撮像される患者の身体部分間には重要な間隙または空隙領域が限定される。患者の撮像部分がコイル容量の小さいフラクションになるにあたり、ＳＮ比が減少し、画質が低下する。表面コイルまたは局所コイルの１つのタイプは、フォイル、ワイヤ、または他のコンダクタをプラスチックまたはナイロン製の硬い、しっかりしたシートの上に設置することにより形成される。フラットコイルは様々な大きさに構成され、コイルの撮像される患者の選択領域への近接設置が容易となる。しかしながら、この平面的な特質のため、患者との接触は部分的で制限されたものだった。
【０００３】
標準サイズの全身または部分的身体コイルおよび硬い、平面コイルは画質の最適化にはつながらなかった。むしろ、患者との不整合性によりフィリングファクタの最適化が阻まれ、ＳＮ比が減少した。これらの強固コイルは関心領域よりもはるかに大きな領域からの共鳴信号を受信した。この無関係な情報への感応性により、空間的解像度が低下し、２次元および３次元フーリエ変換技術におけるエーリアシングが増大した。撮像空間における受信機感応の均質性を改善すると、質またはコイルのＱファクタの犠牲を伴い、これは特に２０ＭＨｚ以上の共鳴周波数をもつコイルにおいて目立つ。さらに、強固コイルを患者に適用することは困難で、患者にとっても不快で、故に様々なサイズのコイルに対するニーズが増大した。
【０００４】
他に、高インピーダンスコイルが受信した信号を低インピーダンス送信線を通して遠隔の画像域外の前置増幅器へ送信するにあたり問題がある。信号ロスおよびノイズを最小限に抑えるため、低インピーダンス送信線の長さが最小にされた。短い、不整合の送信線は低周波数で作用可能であったが、コイルのＱファクタが周波数とケーブルの長さの増大に伴い急速に低下した。
【０００５】
送信線の長さを動作周波数における波長に合わせると、低磁界および中磁界強度で非常な長さとなり、高磁界では短すぎるという結果を招いた。コイルのインピーダンスは送信線のインピーダンスをかなり超過したため、ケーブル上で定在波に起因する高ケーブル損失がみられた。さらに、零以外のケーブル誘電性およびコンダクタ損失が表面コイルを弱めた。
【０００６】
送信線のインピーダンスを適合しようとする試みは、均衡、不均衡にかかわらず失敗であった。通常の様々な患者のローディングはそれと対応したインピーダンス不整合を引き起し、その結果電力転送損失を招いた。中磁界および高磁界強度では患者のローディングの不整合および送信損失が増大した。
【０００７】
上記問題を克服するため、軟らかい銅管材からフレキシブルなコイル製品が製造され、ウレタンフォームで覆われた。Misic 他によるU.S.P.4,920,318 （特願昭６１−５０４１４４および特表昭６３−５０１３３６に対応）では、集積前置増幅器を持つフレキシブルコイル設計が開示されている。しかしながらこれらの製品には、他の問題および制限が伴う。
【０００８】
まず、銅管材は曲げるのが困難で、ストレスによる強固化および脆化に伴う問題を引き起こした。また、従来の銅管材コイルは単純な線コイルで、複雑なコイル幾何学に順応しなかった。さらに、患者の快適さは制限された。
【０００９】
【発明が解決しようとする課題】
本発明は、新しく改善されたコイルおよびコイル信号送信装置を提供する。
【００１０】
【課題を解決するための手段】
本発明によれば、磁気共鳴撮像用のコイル機構において、フレキシブルな受信コイル機構は、第１のフレキシブルプラスチック材料シートと、前記第１のフレキシブルプラスチック材料シートに沿って延びるように該シートに設置され、無線周波磁気共鳴信号を受信する電気的に連続なフレキシブルフォイル帯と、前記第１のフレキシブルプラスチック材料シートに設置された軟らかい材料でできた第１の層とを有し、前記コイル機構は前記受信された無線周波磁気共鳴信号を遠隔位置に運ぶようにケーブルにより前記遠隔位置に接続可能である磁気共鳴撮像用のコイル機構が提供される。
【００１１】
さらに本発明によれば、一時的に一定な主磁界を画像域内に生成する主磁界手段と、前記画像域内の前記主磁界に渡って磁界傾斜を生成する傾斜磁界コイルと、前記画像域内の核に磁気共鳴を励起し操作する無線周波送信機と、前記画像域から磁気共鳴信号を受信する受信コイル機構と、前記受信された磁気共鳴信号から画像表示を再構成する画像再構成プロセッサと、前記受信コイル機構からの前記受信された磁気共鳴信号を前記再構成プロセッサに供給するよう、前記素子から前記画像再構成プロセッサに延びるケーブルとを有し、前記受信コイル機構は、フレキシブルプラスチック材料のシートと、フレキシブルプラスチック材料の前記第１のシートに設置された素子と、前記フレキシブルプラスチック材料の少なくとも１つの面に沿って延びるように前記面に設置されて無線周波磁気共鳴信号を受信する電気的に連続なフレキシブルフォイル帯とを有し、前記電気的に連続なフレキシブルフォイル帯は前記素子に接続され、さらに、前記電気的に連続なフレキシブルフォイル帯に設置された軟らかい層を有する磁気共鳴撮像装置が提供される。
【００１２】
さらに、第１の素子ハウジングはフレキシブルプラスチック材料シートの１つの面に設置され、第２の素子ハウジングはフレキシブルプラスチック材料シートの第２の面に設置された第２の軟材料層に設置される。
【００１３】
本発明の１つの利点は、患者の快適さが改善されることである。
【００１４】
他の利点としては、性能および信頼性が改善されることである。
【００１５】
本発明の別の利点は、コイルを関心領域に対して曲げるにあたり、自己調整できることである。
【００１６】
本発明のさらに別の利点は、フレキシブルなモジュール式コイル装置を提供することである。ユーザには、相互インダクタンスを最小化し、様々なサイズの患者および関心領域を収容する多数の無線周波コイルの選択が可能である。
【００１７】
【発明の実施の形態】
次に添付図面を参照しながら、本発明を実施形態に基づいて詳述する。
【００１８】
図１を参照すると、磁気共鳴撮像装置は、撮像域を通して縦方向に延びる一時的に一定な主磁界を確立する主磁界装置Ａを含む。傾斜磁界装置Ｂは、画像域内の主磁界に渡って選択的に磁界傾斜を生成する。磁気共鳴励起装置Ｃは、撮像域内に設置された患者の選択核に磁気共鳴を選択的に励起する。共鳴核はある周波数の無線周波信号を生成するが、この周波数は隣接する磁界の強さおよび核のジャイロ磁気率等の装置の様々な常数により決定される。フレキシブルな受信コイルＤは画像域内の患者の選択された身体部分と合致配置され、共鳴核から無線周波共鳴信号を受信する。処理回路Ｅは受信された無線周波共鳴信号を人が読み取り可能な表示に変換し、この表示は核の密度や位置等を表す。
【００１９】
より明確には、主磁界装置Ａは共鳴シーケンス制御回路１０と複数の大きな高電力磁石１２を含み、これは超伝導磁石であることが好ましい。また共鳴シーケンス制御回路１０は傾斜磁界装置Ｂの一部として作用し、傾斜磁界コイル１４により生成された横断傾斜磁界の角度付けを制御する。さらに共鳴シーケンス制御回路１０は、選択的に共鳴励起装置Ｃの全身無線周波送信コイル１６に磁気共鳴を励起させる。中央コンピュータ１８は、主磁界、傾斜磁界パルスおよび磁気共鳴無線周波パルスの生成を調整する。
【００２０】
フレキシブル受信コイルＤは、例えばフォームプラスチック等の軟らかい材料２０により囲まれた電気導電材料でできた１つ以上のコイルを含む。好ましい実施形態では、受信コイルの共鳴周波数を共鳴信号の周波数と適合するように調整する電気素子と、受信信号の大きさをブーストする前置増幅器とが軟らかい材料内に設置されている。ケーブル２２は受信コイルＤと電気素子２４を遠隔に位置する処理回路Ｅと接続する。
【００２１】
共鳴周波数制御装置２６はケーブル２２と接続されて、フレキシブルな受信コイルＤの周波数の選択的な調整、マッチングおよびチューニングを行なう。無線周波受信機３０はフレキシブルなコイルＤから共鳴信号を受信する。画像形成器３２は中央コンピュータ１８から磁界情報および他の制御指示を受信する。画像形成器３２は、共鳴核の位置、密度、共鳴周波数および他の特性を示す人が読み取り可能な表示または画像に再構成し、ビデオモニタまたは他の人が読み取り可能なディスプレイ３４に表示する。
【００２２】
図２を参照すると、フレキシブルコイルＤは、フレキシブルＡＢＳ、ポリカーボネート、ポリビニル塩化物等の材料でできた第１のシートを含み、このシートの厚さは０．１から０．２５ｃｍであることが好ましい。ＫＡＰＴＯＮ、ポリエステル、ＭＹＬＡＲ、ポリカーボネート、またはエポキシファイバガラスでできた厚さ０．０１から０．０２５ｃｍの基板に添付された銅フォイルより形成された電気巻線３６がプラスチックシート４０に付着されている。基板はプラスチックで積層されて回路のストレスを低減し、フレキシブルプラスチックシート４０の第１の面に付着設置されていることが好ましい。また、フレキシブルなプラスチックシート４０の第１の面には第１の素子ハウジングが設置され、同上に設置された電気素子２４を保護する。全機構はパディングおよび患者の快適性のために軟らかい材料４４、４６間に挟まれている。第２の素子ハウジング４８は機構内の軟らかい材料でできた第２の層４６に付着している。
【００２３】
図３を特に参照すると、フレキシブルコイルＤの別の実施形態には、フレキシブルプラスチックシート４０の１つの面に設置された電気巻線３６と素子２４が含まれる。剛性だが軟らかい材料４４はプラスチックシート４０の１つの面に付着する。軟材料層４４（厚さ０．３から１．３ｃｍの軟材料であることが好ましい）は、少なくとも１つの平面部および少なくとも１つのトレッスル状（trestle-shaped  橋脚形状）の部分を含む。第２の軟材料層（厚さ０．３から１．３ｃｍの材料であることが好ましい）は、プラスチックシート４０の第２の面に付着している。第２の軟材料４６も、少なくとも１つの平面部および少なくとも１つのトレッスル状の部分を含む。層４４および４６は、頑丈な、否ストレッチ性の外皮を有することが好ましい。第２の層４６の平面部およびトレッスル部は、第１の層４４の平面部およびトレッスル部と対称である。上下の層４４および４６は相互に、またシート４０と作用し、電気巻線（フレキシブルフォイル帯）３６の剛性に影響を与える。トレッスル部は軟材料またはプラスチック材料で満たされ、電気巻線を折り曲げない部分として形成する。そしてこの部分は２つの層４４、４６の平面部分ほどフレキシブルではない。
【００２４】
これら実施形態は他の設計も考えられる。これらの設計では、軟材料またはパッド材料層４４、４６のトレッスル部分が三角または環状部分に置き換えられる。トレッスル部分同様、これらの部分も軟材料またはプラスチック材料で満たされ、電気巻線（フレキシブルフォイル帯）３６の剛性を増大する。
【００２５】
図４は、フレキシブル受信コイルＤが平面で２つの巻線Ｆ，Ｇを有して矩形コイルまたは位相アレイコイルを形成する設計を示す。第１の巻線Ｆは、１つ以上の機械コネクタ５２を使用してフレキシブル構造５０の一端に付着したフレキシブルシート上に設置される。第２の巻線Ｇは、１つ以上の機械コネクタ５４を使用してフレキシブル構造５０のもう一端に付着したフレキシブルシート上に設置される。巻線Ｆ，Ｇは、カンチレバーとなり、フレキシブル機械構造５０と平行で、少なくとも部分的に相互に重なり合うように設置される。この重なる部分は、２つの巻線Ｆ，Ｇ間の相互インダクタンスを最小限にするように選択される。
【００２６】
図５は図４のフレキシブル受信コイルＤが曲がった状態を示す。フレキシブル機械構造５０が曲がるにしたがい、巻線Ｆ，Ｇはカムにより相互に対しスライドし、重なり部分を変化させる。曲げられることにより巻線ＦおよびＧは構造の中心部分に近づき、故に相互インダクタンスが変化する。巻線Ｆ，Ｇ間の重なりの変化は、巻線Ｆ，Ｇの端が互いに近接するよう曲げられるにあたり、最小相互インダクタンスが維持されるようにゲージされる。重なり部分の大きさは、幾何学および巻線Ｆ，Ｇの配置に基づいており、故に巻線Ｆ，Ｇの幾何学を変化させる。
【００２７】
図６は第２の設計を示し、フレキシブル受信コイルＤは平行なフレキシブルシート上に設置され矩形コイルまたは位相アレイコイルを形成する２つの巻線Ｆ，Ｇを有する。巻線Ｆ，Ｇは相互に平行に配置され、相互インダクタンスを最小限にする等の予め選択された関係を得る。４つの機械コネクタ５６はピボットロッド部材であることが好ましく、これらは巻線Ｆ，Ｇ間にピボット的に接続される。機械コネクタ５６はそれぞれ一定の長さをもつ。各部材の長さは巻線Ｆ，Ｇの縦方向の中心からの部材の距離に基づいて選択される。
【００２８】
図７は図６のフレキシブル受信コイルＤが曲がった状態を示す。フレックス力が巻線Ｆ，Ｇの両方に適用されると、堅い機械部材によりコイルの平行関係は妨げられる。巻線Ｆ，Ｇの間隔は、フレックス力の大きさにより変化する。機械コネクタ５６は、近接に曲げられたコイルのエッジに起因する最小の相互インダクタンスの変化がエッジに沿ったコイルの増大した間隔によりオフセットであるように寸法づけられ、設置される。図８は、可動電気コネクタ５７を示し、このコネクタ５７はフレキシブルコイルＤの異なる巻線Ｆ，ＧがコイルＤが曲げられると共に移動するようにこれらを接続する。大きい管６０内をスライドする小さい管５８を含む２つの同心管は、フレキシブルコイルＤが曲げられるにあたり電流がフレキシブルコイルＤ内をフローする経路を提供する。管５８、６０の端に位置するフランジ端は、電流が中をフローするフレキシブルコイルＤの接続点を提供する。
【００２９】
図９は可動電気コネクタ６２を示し、このコネクタ６２はコイルＤが曲げられるにあたり巻線Ｆ，Ｇが移動するようにフレキシブルコイルＤの異なる巻線Ｆ，Ｇを相互に接続する。ヘリカルスプリングコネクタ６２は銅線でできたコイルからなり、これはフレキシブルな非導電性のプラスチック材料で共に突出していることが好ましい。コネクタ６２は、フレキシブルコイルＤが曲げられるにあたり電流がフレキシブルコイルＤ内をフローする経路を提供する一方で、伸縮する。スプリング６２はプラスチック材料の提供する張力により、拡張した後収縮できる。スプリングコネクタ６２により、フレキシブルコイルＤは覆われたり、拡大したりして関心対象を含むことになる。
【００３０】
図１０は可動電気コネクタ６４を示し、このコネクタ６４はコイルＤが曲げられるにあたり巻線Ｆ，Ｇが移動するようにフレキシブルコイルＤの異なる巻線Ｆ，Ｇを相互に接続する。Ｓ型コネクタ６４は、コイルＤが曲げられるにあたり電流がフレキシブルコイルＤ内をフローする経路を提供する一方で、伸縮したり回転したりする。Ｓ型コネクタ６４により、フレキシブルコイルＤは覆われたり、拡大したりして関心対象を含むことになる。
【００３１】
図１１、図１２および図１３はフレキシブルコイルのモジュール式システムを示し、これにより撮像技能者はあらゆる数のフレキシブルコイルを結合して所望のビュー域を得ることができる。
【００３２】
図１１は、位相アレイコイルを形成するように相互接続された個体コイル等の２つのモジュール式フレキシブルコイルＨ，Ｉを含むモジュール式システムを示す。カラーマーク６６は、コイルＨ，Ｉ間の相互インダクタンスが最小化するような構成等の予め選択された設置構成を示す。カラーマーク６６は、モジュール式コイルＨ，Ｉが選択された関係で相互に接続されたときに隣接し、配置される。
【００３３】
図１２は、モジュール式フレキシブルコイルＨ，Ｉ上に配置された幾何学的記号６８を含むモジュール式システムの他の実施形態を示す。幾何学的記号６８が隣接配置されたときにコイルＨ，Ｉ間の相互インダクタンスが最小限となる。
【００３４】
図１３はモジュール式システムのまた他の実施形態を示す。このシステムでは、第１のモジュール式フレキシブルコイルＨ上に配置された突起７０と、それに適合する第２のモジュール式フレキシブルコイルＩ上に配置されたデテントまたは穴７２を使用する。突起７０とデテント７２は相互接続され、モジュール式コイルＨ，Ｉを予め選択された関係に相互接続する。
【００３５】
他に、突起および開口部の１つは例えばベスト等の、別のコイル以外の支持台に設置することもできる。コイルはデテントを有しており、ベストまたは他の支持台上の選択された位置にかちっと接続することができる。
【００３６】
図１４、図１５、図１６、図１７および図１８はフレキシブルコイルＤをフレックス角に基づいて再チューニングするシステムを図示する。ゲージ７４はフレキシブルコイルＤ上に配置され、２つの部分からなる。第１の部分は曲がり角度を示す数である。第２の部分は、フレキシブルコイルが数の示す任意の角度に曲げられたときに示す直線である。フレキシブルコイルＤが数の示す角度に曲げられたとき、対応する線は垂直位置にある。一度フレキシブルコイルのフレックス角度Ｄが分かると、手動スイッチまたは中央コンピュータ１８のコンピュータ入力タイミングが使用されてフレキシブルコイルＤの再チューニングを行なったり、再構成アルゴリズムを調整してフレックスを収容する。
【００３７】
図１４はコイルＤが平たいシステムを示し、故にゲージ内の線で垂直なものはない。図１５はコイルＤが３０°の角度であるシステムを示す。従って、ゲージ７４内の数３０と隣接する線が垂直である。図１６はコイルＤが４５°の角度であるシステムを示す。従って、ゲージ７４内の数４５と隣接する線が垂直である。図１７はコイルＤが６０°の角度であるシステムを示す。従って、ゲージ７４内の数６０と隣接する線が垂直である。図１８はコイルＤが９０°の角度であるシステムを示す。従って、ゲージ７４内の数９０と隣接する線が垂直である。
【００３８】
図１９、図２０、図２１および図２２は、上述のフレキシブルコイルをそのフレックス角度の基づいて再チューニングするシステムにより提供される様々な標準線コイルを示す。
【００３９】
図２３および図２４は、上述のフレキシブルコイルをそのフレックス角度に基づいて再チューニングするシステムにより提供される矩形コイルを示す。
【００４０】
図２５および図２６は、上述のフレキシブルコイルをそのフレックス角度に基づいて再チューニングするシステムにより提供される位相アレイコイルを示す。
【００４１】
図２７は、基板７８上に直接エッチングされた２つの銅プレート７６からなるコンデンサを示す。
【００４２】
図２８は、基板７８上にエッチングされた２つの銅巻線８０からなるインダクタを示す。
【００４３】
図２７のコンデンサと図２８のインダクタをフレキシブルコイル内に統合すると、保護カバーの必要性がなくなる。
【００４４】
【発明の効果】
本発明によれば、患者の快適性、性能および信頼性を改善し、コイルを関心領域に対して曲げるにあたり自己調整可能な磁気共鳴撮像装置およびコイル機構が提供される。
【図面の簡単な説明】
【図１】本発明を具備する磁気共鳴撮像装置の概略図である。
【図２】本発明によるフレキシブルコイルの素子の拡大表示図である。
【図３】フレキシブルコイルの他の実施形態の部分的断面図である。
【図４】相互インダクタンスを最小限に維持する平面構成のフレキシブルコイルの２つの巻線を示すまた別の実施形態を示す図である。
【図５】図４のコイルが曲げられたときの状態を示す図である。
【図６】第１の構成において相互インダクタンスを最小限に維持するフレキシブルコイルの２つの巻線を示すまた別の実施形態を示す図である。
【図７】図６コイルが曲げられたときの状態を示す図である。
【図８】フレキシブルコイルの２つの巻線を接続する可動電気コンダクタを示す図である。
【図９】フレキシブルコイルの２つの巻線を接続する可動電気コンダクタを示す図である。
【図１０】フレキシブルコイルの２つの巻線を接続する可動電気コンダクタを示す図である。
【図１１】モジュール式フレキシブル素子が配列された他の実施形態を示す図である。
【図１２】モジュール式フレキシブル素子が配列された他の実施形態を示す図である。
【図１３】モジュール式フレキシブル素子が配列された他の実施形態を示す図である。
【図１４】コイルをチューニングするゲージを含む様々なフレックス度におけるフレキシブルコイルの別の実施形態を示す図である。
【図１５】コイルをチューニングするゲージを含む様々なフレックス度におけるフレキシブルコイルの別の実施形態を示す図である。
【図１６】コイルをチューニングするゲージを含む様々なフレックス度におけるフレキシブルコイルの別の実施形態を示す図である。
【図１７】コイルをチューニングするゲージを含む様々なフレックス度におけるフレキシブルコイルの別の実施形態を示す図である。
【図１８】コイルをチューニングするゲージを含む様々なフレックス度におけるフレキシブルコイルの別の実施形態を示す図である。
【図１９】様々な標準線コイルを示す図である。
【図２０】様々な標準線コイルを示す図である。
【図２１】様々な標準線コイルを示す図である。
【図２２】様々な標準線コイルを示す図である。
【図２３】２つの矩形コイルを示す図である。
【図２４】２つの矩形コイルを示す図である。
【図２５】２つの位相アレイコイルを示す図である。
【図２６】２つの位相アレイコイルを示す図である。
【図２７】コンデンサを示す図である。
【図２８】インダクタを示す図である。
【符号の説明】
Ａ  主磁界装置
Ｂ  傾斜磁界装置
Ｃ  磁気共鳴励起装置
Ｄ  フレキシブル受信コイル
Ｅ  処理回路
Ｆ，Ｇ  巻線
１０  共鳴シーケンス制御回路
１２  高電力磁石
１４  傾斜磁界コイル
１６  全身無線周波送信コイル
１８  中央コンピュータ
２０  軟材料
２２  ケーブル
２４  電気素子
２６  無線周波制御装置
３０  無線周波受信機
３２  画像形成器
３４  ディスプレイ
３６  フレキシブルフォイル帯（電気巻線）
４０  フレキシブルプラスチック材料シート
４２  第１の素子ハウジング
４４  柔軟性のある第１の層（軟材料層）
４６  第２の軟材料層
４８  第２の素子ハウジング
５０  フレキシブル構造
５２，５４，５６  機械コネクタ
５７，６２，６４  可動電気コネクタ
５８，６０  管
６６  標（カラーマーク）
６８  標（幾何学記号）
７０  標（突起）
７２  標（穴）
７４  ゲージ
７６  銅プレート
７８  基板
８０  銅巻線
【図１】
0003707142.tif 000002
【図２】
0003707142.tif 000003
【図３】
0003707142.tif 000004
【図４】
0003707142.tif 000005
【図５】
0003707142.tif 000006
【図６】
0003707142.tif 000007
【図７】
0003707142.tif 000008
【図８】
0003707142.tif 000009
【図９】
0003707142.tif 000010
【図１０】
0003707142.tif 000011
【図１１】
0003707142.tif 000012
【図１２】
0003707142.tif 000013
【図１３】
0003707142.tif 000014
【図１４】
0003707142.tif 000015
【図１５】
0003707142.tif 000016
【図１６】
0003707142.tif 000017
【図１７】
0003707142.tif 000018
【図１８】
0003707142.tif 000019
【図１９】
0003707142.tif 000020
【図２０】
0003707142.tif 000021
【図２１】
0003707142.tif 000022
【図２２】
0003707142.tif 000023
【図２３】
0003707142.tif 000024
【図２４】
0003707142.tif 000025
【図２５】
0003707142.tif 000026
【図２６】
0003707142.tif 000027
【図２７】
0003707142.tif 000028
【図２８】
0003707142.tif 000029